(57)【要約】【課題】水を溜める構成の水脱臭部と、酸化触媒とを１つの風路中に配置しつつ、水溶性の高い臭気成分と、これら臭気成分より水溶性は低いが酸化分解性の高い臭気成分の両方を効果的に脱臭することができるトイレ空間用脱臭装置を提供する。【解決手段】トイレ空間用脱臭装置は、脱臭風路中に設けられたファン装置と、水を溜めることが可能で溜めた水の水面が脱臭風路の一部を形成する水溜め部と、脱臭風路中に設けられた酸化触媒と、給水部による水溜め部への給水、及び、ファン装置による吸気を制御する制御部とを備えている。制御部は、水溜め部への第１水量の給水を行う第１給水モードと、水溜め部への第１水量より少ない第２水量の給水を行う第２給水モードとを実行する。【選択図】図７
2020063623.tif 000002
【特許請求の範囲】
【請求項１】
空気を吸気する吸気口を形成する吸気部と、
空気を排気する排気口を形成する排気部と、
前記吸気口と前記排気口とを連通し空気を流通させる脱臭風路中に設けられたファン装置と、
水を溜めることが可能で、溜めた水の水面が前記脱臭風路の一部を形成する水溜め部と、
前記脱臭風路中に設けられた酸化触媒と、
前記水溜め部へ給水する給水部と、
前記水溜め部から排水する排水部と、
前記給水部による給水、及び、前記ファン装置による吸気を制御する制御部と、
を備え、
前記制御部は、前記給水部による前記水溜め部への第１水量の給水を行う第１給水モードと、前記給水部による前記水溜め部への前記第１水量より少ない第２水量の給水を行う第２給水モードとを実行するトイレ空間用脱臭装置。
【請求項２】
前記制御部は、前記ファン装置により最大風量である第１風量の吸気を行う第１吸気モードと、前記第１風量よりも少ない第２風量の吸気を行う第２吸気モードとを実行し、
前記第１給水モードの実行時には前記第１吸気モードを実行しない請求項１記載のトイレ空間用脱臭装置。
【請求項３】
前記制御部は、前記ファン装置により前記第２風量よりも少ない第３風量の吸気を行う第３吸気モードを実行し、
前記第１給水モードの実行時には前記第３吸気モードを実行する請求項２記載のトイレ空間用脱臭装置。
【請求項４】
前記制御部は、前記排水部から排水後、前記ファン装置を駆動させ前記水溜め部を乾燥させる乾燥モードを実行する請求項１〜３のいずれか１つに記載のトイレ空間用脱臭装置。
【発明の詳細な説明】
【技術分野】
【０００１】
本発明は、トイレ空間用脱臭装置に関する。
【背景技術】
【０００２】
トイレ空間において脱臭を行う脱臭装置として、空気を水に接触させることによって、空気に含まれる臭気成分を水に溶解させるものが知られている（例えば、特許文献１）。特許文献１に記載の脱臭装置は、温水洗浄便座に設けられ、ファン装置によって気体流路に吸入された空気に水を噴出する水噴出装置を備える。
【先行技術文献】
【特許文献】
【０００３】
【特許文献１】特開２０１７−２２３０３０号公報
【発明の概要】
【発明が解決しようとする課題】
【０００４】
トイレ空間における臭気の内、アンモニアやトリメチルアミンに比べて、硫化水素やメチルメルカプタンは水に溶けにくい。そのため、特許文献１のように水噴出装置によって噴出される水のみで臭気を空気中から除去しようとしても、硫化水素やメチルメルカプタンは除去しきれない懸念がある。
【０００５】
ここで、この懸念の解決に当たって、１つの風路中に水脱臭部と酸化触媒を配置し、水溶性の高い臭気成分と、これら臭気成分より水溶性は低いが酸化分解性の高い臭気成分の両方を効果的に脱臭することが考えられる。
【０００６】
１つの風路中に水脱臭部と酸化触媒を配置を配置する場合において、水脱臭部として水を溜める構成にすると、溜められた水により脱臭風路が狭められることで脱臭風路における圧力損失が増大する。この圧力損失の増大により、酸化触媒による脱臭性能が低下する懸念がある。
【０００７】
そこで、本発明は、水を溜める構成の水脱臭部と、酸化触媒とを１つの風路中に配置しつつ、水溶性の高い臭気成分と、これら臭気成分より水溶性は低いが酸化分解性の高い臭気成分の両方を効果的に脱臭することができるトイレ空間用脱臭装置を提供する。
【課題を解決するための手段】
【０００８】
第１の発明のトイレ空間用脱臭装置は、空気を吸気する吸気口を形成する吸気部と、空気を排気する排気口を形成する排気部と、前記吸気口と前記排気口とを連通し空気を流通させる脱臭風路中に設けられたファン装置と、水を溜めることが可能で、溜めた水の水面が前記脱臭風路の一部を形成する水溜め部と、前記脱臭風路中に設けられた酸化触媒と、前記水溜め部へ給水する給水部と、前記水溜め部から排水する排水部と、前記給水部による給水、及び、前記ファン装置による吸気を制御する制御部と、を備え、前記制御部は、前記給水部による前記水溜め部への第１水量の給水を行う第１給水モードと、前記給水部による前記水溜め部への前記第１水量より少ない第２水量の給水を行う第２給水モードとを実行する。
第１の発明によれば、第２給水モードでは水溜め部に溜められる水量が第１給水モードよりも少ないため、脱臭風路中の圧力損失を抑止することができ、酸化触媒による脱臭性能が低下することを抑止することができる。
一方で、第１給水モードでは、第２給水モードよりも多い水量の水が水溜め部に溜められ、水溶性の高い臭気成分の脱臭効果が高まる。
したがって、第１の発明によれば、水溶性の高い臭気成分と、これら臭気成分より水溶性は低いが酸化分解性の高い臭気成分の両方を効果的に脱臭することができる。
第２の発明は、第１の発明において、前記制御部は、前記ファン装置により最大風量である第１風量の吸気を行う第１吸気モードと、前記第１風量よりも少ない第２風量の吸気を行う第２吸気モードとを実行し、前記第１給水モードの実行時には前記第１吸気モードを実行しない。
水溶性の高い臭気成分の脱臭にあたっては水量が多いほうがよいが、多くすればするほど水が水溜め部から溢れる懸念がある。第２の発明によれば、水量の多い第１給水モード時には、最大風量である第１風量よりも風量が小さい第２風量による第２吸気モードが実行され、最大風量の第１吸気モードを実行しない。水量が多いときには風量を抑えることで水溜め部に溜められた水の波立ちや、ファン装置に水が吸い込まれることを抑止できる。したがって、水脱臭効果を高めるために水量を多くした場合には水の溢れを抑止でき、一方で第２給水モードで圧力損失を抑えつつ第１吸気モードを実行して風量を増やすことができ、酸化触媒による脱臭効果を高めることができる。
第３の発明は、第２の発明において、前記制御部は、前記ファン装置により前記第２風量よりも少ない第３風量の吸気を行う第３吸気モードを実行し、前記第１給水モードの実行時には前記第３吸気モードを実行する。
第３の発明によれば、水量の多い第１給水モード時には、第２風量よりもさらに風量が小さい第３風量による第３吸気モードが実行され、最大風量の第１吸気モードを実行しない。水量が多いときには風量をさらに抑えることで水溜め部に溜められた水の波立ちや、ファン装置に水が吸い込まれることの抑止効果をさらに高くできる。
第４の発明は、第１〜第３の発明のいずれか１つにおいて、前記制御部は、前記排水部から排水後、前記ファン装置を駆動させ前記水溜め部を乾燥させる乾燥モードを実行する。
水溶性の高い臭気成分の脱臭するための水を溜める構成においては、バイオフィルムが形成される懸念がある。第４の発明によれば、乾燥モードを実行することで、排水された後の水溜め部を乾燥することができ、水溜め部におけるバイオフィルムの形成を抑止することができる。
【発明の効果】
【０００９】
本発明のトイレ空間用脱臭装置によれば、水を溜める構成の水脱臭部と、酸化触媒とを１つの風路中に配置しつつ、水溶性の高い臭気成分と、これら臭気成分より水溶性は低いが酸化分解性の高い臭気成分の両方を効果的に脱臭することができる。
【図面の簡単な説明】
【００１０】
【図１】一実施形態のトイレ装置の斜視図である。
【図２】一実施形態の水脱臭ユニットの斜視図である。
【図３】図２の水脱臭ユニットからカバーを外した状態の斜視図である。
【図４】一実施形態の水脱臭ユニットの断面図である。
【図５】一実施形態の水脱臭ユニットにおける水溜め動作時の模式断面図である。
【図６】一実施形態の水脱臭ユニットにおける排水動作時の模式断面図である。
【図７】一実施形態のトイレ空間用脱臭装置の動作例のフローチャートである。
【図８】一実施形態のトイレ空間用脱臭装置の他の動作例のフローチャートである。
【発明を実施するための形態】
【００１１】
以下、添付図面を参照しながら本発明の実施の形態の１つについて説明する。説明の理解を容易にするため、各図面において同一の構成要素に対しては可能な限り同一の符号を付して、重複する説明は省略する。
【００１２】
図１は、実施形態のトイレ装置１の斜視図である。
【００１３】
図１に示すように、トイレ空間に設置されるトイレ装置１は、腰掛大便器（以下、単に便器と称する）１００と、便器１００の上に設置された衛生洗浄装置２００とを有する。便器１００は、上方に向けて開口され水が溜められたボウル部１０１を有する。ボウル部１０１は操作部（図示せず）を使用者が操作することで洗浄水により洗浄され、排水配管（図示せず）へと洗浄水を排水する。衛生洗浄装置２００は、便器１００に腰掛けた使用者のおしりなどの局部の洗浄を実現する局部洗浄機能部などを有する。なお、図１においては、局部洗浄機能部に含まれるノズル等を図示せず省略している。
【００１４】
また、衛生洗浄装置２００は、トイレ空間用脱臭装置（以下、単に脱臭装置と称する）１０を有する。脱臭装置１０は、水脱臭ユニット２０と、制御部９０とを有する。
【００１５】
図２は、実施形態の水脱臭ユニット２０の斜視図である。
図３は、図２の水脱臭ユニット２０からカバー２２を外した状態の斜視図である。
図４は、水脱臭ユニット２０の断面図である。
【００１６】
図２〜図４に示すように、水脱臭ユニット２０は、ケース２１と、カバー２２とを有する。ケース２１とカバー２２との間の空間に、水脱臭部４０、ファン装置６０、および酸化触媒７０が設けられている。
【００１７】
ファン装置６０の駆動により、ケース２１とカバー２２との間の空間内を空気が流れる。この空気が流れる風路（脱臭風路）８０の一端部に吸気口部１２３が設けられ、他端部に排気口部１２４が設けられている。吸気口部１２３は吸気口２３を形成し、排気口部１２４は排気口２４を形成する。脱臭風路８０は吸気口２３と排気口２４とを連通する。また、後述するように、吸気口２３は排水口２５を兼ねている。脱臭風路８０において吸気口２３および排気口２４以外の領域は、ケース２１およびカバー２２によって覆われている。
【００１８】
吸気口２３は脱臭風路８０の最上流に位置し、排気口２４は脱臭風路８０の最下流に位置する。ファン装置６０は、水脱臭部４０よりも、脱臭風路８０における下流側に配置されている。酸化触媒７０は、ファン装置６０よりも、脱臭風路８０における下流側に配置されている。吸気口２３と排気口２４との間に、吸気口２３側から順に、水脱臭部４０、ファン装置６０、および酸化触媒７０が配置されている。
【００１９】
水脱臭部４０は、水溜め部５０を有する。水溜め部５０は、吸気口２３とファン装置６０との間に位置する。水脱臭ユニット２０が図１に示す便器１００の上に設置された状態において、吸気口２３はボウル部１０１に向けて開口する。ファン装置６０の駆動により、吸気口２３から水溜め部５０に空気が吸気される。
【００２０】
例えば、ケース２１の内側の側面における排水口２５の近傍に給水部２７が設けられている。図４に示すように、給水部２７は、例えば給水口２７ａを有する給水ノズルである。水脱臭ユニット２０が図１に示す便器１００の上に設置された状態において、給水部２７は、水溜め部５０の外部に位置し、ボウル部１０１の開口の上方に位置する。図４に示すように、排水口２５は、水溜め部５０と給水部２７との間に位置する。給水部２７は、排水口２５を挟んで水溜め部５０と逆側の位置、かつ給水部２７から水溜め部５０に給水可能な位置に設けられる。
【００２１】
給水部２７の給水口２７ａは排水口２５に向けられている。その給水口２７ａから排水口２５を通じて水溜め部５０に向けて水が給水され、水溜め部５０はその水を溜めることが可能となっている。
【００２２】
水溜め部５０に溜められた水は、排水口２５を形成する排水部１２５から排水される。本実施形態では、吸気口２３が排水口２５を兼ねている。排水口２５は、排水受け部であるボウル部１０１に向けて開口し、水溜め部５０に溜められた水は排水口２５からボウル部１０１へ排水される。
【００２３】
水溜め部５０においてファン装置６０側に水受け壁４１が設けられている。水受け壁４１は、水溜め部５０の底面から脱臭風路８０内へ向けて突出している。水受け壁４１の上端と、カバー２２との間には、水溜め部５０からファン装置６０側への空気の流通を許容する空間が形成されている。水溜め部５０は、水受け壁４１から排水口２５に向かう方向に沿って下り傾斜した底面５１を有する。
【００２４】
次に、本実施形態の脱臭装置１０の動作について説明する。
【００２５】
図１に示す便器１００への使用者の着座が検知されると、制御部９０の制御により、ファン装置６０が駆動され、給水部２７から水溜め部５０へ水が給水される。図４に示す給水部２７の給水口２７ａから、矢印で示すように排水口２５に向けて吐水され、排水口２５を通じて水溜め部５０に水が供給される。
【００２６】
例えば、ファン装置６０の駆動と、給水部２７からの給水は同時に開始される。または、ファン装置６０の駆動タイミングと、給水タイミングにはタイムラグがあってもよい。制御部９０は、ファン装置６０の駆動開始および停止、ならびに給水部２７からの水の給水開始および停止を制御する。駆動されたファン装置６０は、吸気口２３から脱臭風路８０内に空気を吸気する。
【００２７】
図５は、本実施形態における水溜め動作時の模式断面図である。
【００２８】
図５において、脱臭風路８０内の空気の流れを黒太線の矢印で表す。吸気口２３から吸気された空気は、水溜め部５０の空間を流れてファン装置６０に吸い込まれ、さらにファン装置６０からはき出された空気は酸化触媒７０を通過して排気口２４から排気される。
【００２９】
大気圧下の空気が吸気口２３から脱臭風路８０内に吸い込まれる。すなわち、ファン装置６０は、脱臭風路８０に負圧を発生させる負圧形成手段として機能する。水溜め部５０の底面５１は、排水口２５へ向けて下り傾斜を形成しているため、水溜め部５０に給水された水は水溜め部５０の底面５１を排水口２５に向かって流れ得る。
【００３０】
しかしながら、ファン装置６０が駆動された状態においては、水溜め部５０に発生した負圧によって、水の排水方向に逆らう方向に流れる空気を水に押し当て、給水部２７から給水された水を水溜め部５０に溜めることができる。空気に押された水Ｗは、水受け壁４１に堰き止められ、脱臭風路８０における下流側への移動が阻止される。給水部２７からの水の給水は所定時間後に停止される。
【００３１】
吸気口２３から吸気され臭気成分を含んだ空気は、水溜め部５０に溜められた水Ｗの水面に沿うように流れ、水溜め部５０に溜められた水Ｗの水面が脱臭風路８０の一部を形成する。そして、臭気成分の内、アンモニアやトリメチルアミンなどの水溶性の高い臭気成分が水溜め部５０に溜められた水Ｗに溶解し、脱臭される。
【００３２】
脱臭風路８０中をさらに下流側に流れた空気中における、水Ｗに溶解しなかった硫化水素やメチルメルカプタンなどの臭気成分は、酸化触媒７０により脱臭される。酸化触媒７０は、硫化水素、メチルメルカプタンを酸化し分解する。
【００３３】
このように本実施形態によれば、水脱臭部４０で、水溶性の高いアンモニアやトリメチルアミンを脱臭でき、さらに、酸化触媒７０で、アンモニアやトリメチルアミンに比べて水に溶解しにくい硫化水素やメチルメルカプタンを脱臭することができる。脱臭された空気は、排気口２４から排気される。
【００３４】
また、吸気口２３から空気と一緒に吸い込まれた埃や紙片等の粉塵を、水溜め部５０に溜められた水Ｗで捕捉することができ、酸化触媒７０に粉塵が流れることによる酸化触媒７０の性能低下を抑制することができる。さらに、ファン装置６０も、水溜め部５０よりも脱臭風路８０の下流側に配置されているため、粉塵がファン装置６０へ到達してしまうことも抑制できる。また、通常、脱臭装置の吸気口には、粉塵を補足するためのメッシュフィルタが設けられるが、本実施形態においては、水溜め部５０により粉塵を補足することができ、メッシュフィルタを設けなくともよい。そのため、本実施形態においては、メッシュフィルタをメンテナンスする手間をなくすことができる。
【００３５】
また、１つのファン装置６０を用いた１つの脱臭風路８０中に水脱臭部４０と酸化触媒７０を配置した簡易な構成により、水溶性の高い臭気成分と、それら臭気成分より水溶性は低いが酸化分解性の高い臭気成分の両方を効果的に脱臭することができる。大型化および複雑化の抑止と脱臭性能とを両立することができる。
【００３６】
また、空気の流れを伴う負圧の形成によって水溜め部５０に水Ｗを溜め、その水Ｗの水面が脱臭風路８０の一部を形成し、水Ｗの水面に沿って臭気成分を含む空気が流れる。このような構成は、例えば負圧の形成によって水を溜めるのではなく、あらかじめタンクに水を蓄えておき、蓄えた水の表面に空気を接触させる構成より、水面に接触する空気の量を多くでき、臭気成分の水への溶解効率を向上させることができる。従って、本実施形態は、大型化および複雑化の抑止と、脱臭性能とを両立させる。
【００３７】
図６は、本実施形態における排水動作時の模式断面図である。
【００３８】
使用者が便器１００から離座し、離座に基づいてファン装置６０の駆動が停止される。ファン装置６０の停止により、水溜め部５０は大気圧に戻り、水Ｗを溜まった状態に保持していた力が解除される。そして、水溜め部５０の底面５１は、排水口２５に向かって下り傾斜しているため、水溜め部５０に溜まっていた水Ｗは、図６に示すように、排水口２５から便器１００のボウル部１０１（図１に示す）に排水される。また、水溜め部５０に溜められた水Ｗに捕捉された粉塵なども水Ｗとともに排水される。
【００３９】
排水機構として可動部材、例えば電磁弁を用いた場合、電磁弁の固着により開弁不良が生じ排水できなくなる懸念があるが、本実施形態では、そのような排水機構を設けずに、ファン装置６０による負圧の形成を停止するだけで排水できる。簡単な構成で水溜め部５０から水を排水して、水溜め部５０に残る水を少なくすることができ、残った水に起因するバイオフィルムの形成を抑制することができる。
【００４０】
前述した制御部９０は、第１給水モードと、第２給水モードとを実行する。第１給水モードでは、給水部２７による水溜め部５０への第１水量の給水を行う。第２給水モードでは、給水部２７による水溜め部５０への第１水量より少ない第２水量の給水を行う。
【００４１】
さらに、制御部９０は、第１吸気モードと、第２吸気モードとを実行する。第１吸気モードでは、ファン装置６０により最大風量である第１風量の吸気を行う。第２吸気モードでは、ファン装置６０により第１風量よりも少ない第２風量の吸気を行う。第２吸気モードにおけるファン装置６０の回転数は、第１吸気モードにおけるファン装置６０の回転数よりも少ない。
【００４２】
また、制御部９０は、ファン装置６０により、第２風量よりも少ない第３風量の吸気を行う第３吸気モードを実行することもできる。
【００４３】
図７は、脱臭装置１０の詳細な動作例のフローチャートである。
【００４４】
例えばトイレ装置１がよく使われる時間帯において、ステップＳ１で、トイレ空間内に人が検知されず、または便座への着座が検知されない、すなわちトイレ装置１が使われていない状態が検知されると、ステップＳ８に進み、非使用時脱臭モードが実行される。
【００４５】
非使用時脱臭モードでは、トイレ装置１がよく使われる時間帯におけるトイレ装置１の非使用時に、第１水量による第１給水モードと、第２風量による第２吸気モードを実行する。非使用時脱臭モードでは、水溜め部５０に第２水量よりも多い第１水量の水が溜められ、主にトイレ空間の壁などに吸着したアンモニアやトリメチルアミンなどの水溶性の高い成分の水脱臭効果を高めることができる。
【００４６】
ステップＳ９において、非使用時脱臭モードが実行されて一定時間が経過していない場合に、ステップＳ１で人の検知または着座検知があると、すなわちトイレ装置１の使用が検知されると、ステップＳ２の排水モードに進む。
【００４７】
排水モードでは、ファン装置６０が停止され、これによる負圧解除により、非使用時脱臭モードの実行で水溜め部５０に溜められていた水が排水口２５から排水される。
【００４８】
この排水動作の後、ステップＳ３に進み、通常脱臭モードが実行される。または、ステップＳ１でトイレ装置１の使用が検知されたタイミングにおいてファン装置６０が停止され水溜め部５０に水が溜まっていない場合には、ステップＳ１の後ステップＳ３に進む。
【００４９】
ステップＳ３の通常脱臭モードにおいては、第２水量の給水による第２給水モードと、第２風量による第２吸気モードが実行される。
【００５０】
そして、ステップＳ４において離座が検知されると、ステップＳ５に進み、強脱臭モードが実行される。強脱臭モードにおいては、第２水量の給水による第２給水モードと、最大風量である第１風量による第１吸気モードが実行される。
【００５１】
すなわち、強脱臭モードでは、水溜め部５０に溜められる水量は通常脱臭モードと同じ第２水量であるが、風量は通常脱臭モードよりも大きい第１風量（最大風量）にされる。したがって、強脱臭モードでは、通常脱臭モードよりも、酸化触媒７０による硫化水素やメチルメルカプタンの脱臭効果が高くなる。
【００５２】
ステップＳ４において離座が検知されない、すなわち使用者の着座が続いている状態では、ステップＳ３の通常脱臭モードが継続される。
【００５３】
強脱臭モードは所定時間実行される。強脱臭モードが終了した後、ステップＳ６にて、ファン装置６０が停止され水溜め部５０から排水動作が実行される。
【００５４】
この排水動作の後、ステップＳ７にて乾燥モードが実行される。乾燥モードでは、水溜め部５０への給水が停止され、且つファン装置６０が駆動され第２風量による第２吸気モードが実行される。この第２吸気モードの空気流通により、水溜め部５０を乾燥させる。
【００５５】
上記非使用時脱臭モードの実行が一定時間経過する前に、人の検知または着座検知がない場合には、非使用時脱臭モードの実行が続けられる。
【００５６】
そして、非使用時脱臭モードが一定時間実行された場合には、ステップＳ１０に進み排水モードが実行され、さらに続くステップＳ７において乾燥モードが実行される。
【００５７】
図８は、脱臭装置１０の他の詳細な動作例のフローチャートである。
【００５８】
トイレ装置１がよく使われる時間帯において、ステップＳ１１で、トイレ空間内に人が検知されず、または便座への着座が検知されない、すなわちトイレ装置１が使われていない状態が検知されると、ステップＳ１８に進み、非使用時脱臭モードが実行される。
【００５９】
非使用時脱臭モードでは、トイレ装置１がよく使われる時間帯におけるトイレ装置１の非使用時に、第１水量による第１給水モードと、第２風量よりも小さい風量による第３風量による第３吸気モードを実行する。
【００６０】
ステップＳ１９において、非使用時脱臭モードが実行されて一定時間が経過していない場合に、ステップＳ１１で人の検知または着座検知があると、すなわちトイレ装置１の使用が検知されると、ステップＳ１２の排水モードに進む。
【００６１】
排水モードでは、ファン装置６０が停止され、これによる負圧解除により、非使用時脱臭モードの実行で水溜め部５０に溜められていた水が排水口２５から排水される。
【００６２】
この排水動作の後、ステップＳ１３に進み、通常脱臭モードが実行される。または、ステップＳ１１でトイレ装置１の使用が検知されたタイミングにおいてファン装置６０が停止され水溜め部５０に水が溜まっていない場合には、ステップＳ１１の後ステップＳ１３に進む。
【００６３】
ステップＳ１３の通常脱臭モードにおいては、第２水量の給水による第２給水モードと、第２風量による第２吸気モードが実行される。
【００６４】
そして、ステップＳ１４において離座が検知されると、ステップＳ１５に進み、強脱臭モードが実行される。強脱臭モードにおいては、第２水量の給水による第２給水モードと、最大風量である第１風量による第１吸気モードが実行される。
【００６５】
ステップＳ１４において離座が検知されない、すなわち使用者の着座が続いている状態では、ステップＳ１３の通常脱臭モードが継続される。
【００６６】
強脱臭モードは所定時間実行される。強脱臭モードが終了した後、ステップＳ１６にて、ファン装置６０が停止され水溜め部５０から排水動作が実行される。
【００６７】
この排水動作の後、ステップＳ１７にて乾燥モードが実行される。乾燥モードでは、水溜め部５０への給水が停止され、且つファン装置６０が駆動され第３風量による第３吸気モードが実行される。この第３吸気モードの空気流通により、水溜め部５０を乾燥させる。
【００６８】
上記非使用時脱臭モードの実行が一定時間経過する前に、人の検知または着座検知がない場合には、非使用時脱臭モードの実行が続けられる。
【００６９】
そして、非使用時脱臭モードが一定時間実行された場合には、ステップＳ２０に進み排水モードが実行され、さらに続くステップＳ１７において乾燥モードが実行される。
【００７０】
以上説明した実施形態によれば、通常脱臭モードおよび強脱臭モードで実行される第２給水モードでは水溜め部５０に溜められる水量が第１給水モードよりも少ないため、脱臭風路８０中の圧力損失を抑止することができ、酸化触媒７０による脱臭性能が低下することを抑止することができる。
【００７１】
一方で、非使用時脱臭モードで実行される第１給水モードでは、第２給水モードよりも多い水量の水が水溜め部５０に溜められ、上記水溶性の高い臭気成分の脱臭効果が高まる。
【００７２】
したがって、本実施形態によれば、水溶性の高い臭気成分と、これら臭気成分より水溶性は低いが酸化分解性の高い臭気成分の両方を効果的に脱臭することができる。
【００７３】
水溶性の高い臭気成分の脱臭にあたっては水量が多いほうがよいが、多くすればするほど水が水溜め部５０から溢れる懸念がある。図７に示す動作例によれば、水量の多い第１給水モード時（非使用時脱臭モード時）には、最大風量よりも風量が小さい第２吸気モードが実行され、最大風量の第１吸気モードを実行しない。水量が多いときには風量を抑えることで水溜め部５０に溜められた水の波立ちや、ファン装置６０に水が吸い込まれることを抑止できる。したがって、水脱臭効果を高めるために水量を多くした場合には水の溢れを抑止でき、一方で通常または強脱臭モード時には第２給水モードで圧力損失を抑えつつ第１吸気モードを実行して風量を増やすことができ、酸化触媒７０による脱臭効果を高めることができる。
【００７４】
また、図８に示す動作例においては、水量の多い第１給水モード時（非使用時脱臭モード時）には、第２風量よりもさらに風量が小さい第３吸気モードが実行され、最大風量の第１吸気モードを実行しない。水量が多いときには風量をさらに抑えることで水溜め部５０に溜められた水の波立ちや、ファン装置６０に水が吸い込まれることの抑止効果をさらに高くできる。
【００７５】
水溶性の高い臭気成分の脱臭するための水を溜める構成においては、バイオフィルムが形成される懸念がある。一方、本実施形態によれば、図７におけるステップＳ７または図８におけるステップＳ１７にて乾燥モードを実行することで、排水された後の水溜め部５０を乾燥することができ、水溜め部５０におけるバイオフィルムの形成を抑止することができる。
【００７６】
前述した図７および図８に示す各モードは、制御部９０によるファン装置６０の制御および給水部２７の制御によって実行される。すなわち、制御部９０は、２段階または３段階の風量の吸気モードを実行する。または、制御部９０は、４段階以上の風量の吸気モードを実行してもよい。また、制御部９０は、２段階の水量の給水モードを実行する。または、制御部９０は、３段階以上の水量の給水モードを実行してもよい。
【００７７】
以上説明した一実施形態では、脱臭装置１０を衛生洗浄装置２００に設けた例を説明したが、本発明による脱臭装置は、大便器を含むトイレ空間に設けられればよく、脱臭装置１０は例えば便器１００内に設けてもよい。
【００７８】
また、本発明は、ファン装置６０の空気吸引によって水溜め部５０に負圧を形成することに限らず、例えばポンプの空気吸引によって水溜め部５０に負圧を形成してもよい。
【００７９】
また、本発明は、吸気口２３が排水口２５も兼ねる構成に限らず、吸気口２３と排水口２５をそれぞれ別の構成要素として設けてもよい。
【００８０】
以上、具体例を参照しつつ本発明の実施形態について説明した。しかし、本発明は、それらに限定されるものではなく、本発明の技術的思想に基づいて種々の変形が可能である。
【符号の説明】
【００８１】
１…トイレ装置、１０…脱臭装置、２０…水脱臭ユニット、２３…吸気口、２４…排気口、２５…排水口、２７…給水部、４０…水脱臭部、５０…水溜め部、６０…ファン装置、７０…酸化触媒、８０…脱臭風路、９０…制御部、１００…便器、１０１…ボウル部、２００…衛生洗浄装置
【図１】
2020063623.tif 000003
【図２】
2020063623.tif 000004
【図３】
2020063623.tif 000005
【図４】
2020063623.tif 000006
【図５】
2020063623.tif 000007
【図６】
2020063623.tif 000008
【図７】
2020063623.tif 000009
【図８】
2020063623.tif 000010